(57)【要約】【課題】  施工性を向上した照明器具を提供する。【解決手段】  器具本体１は、天井面に対して固定され天井面より垂下された吊下げボルトＢと、吊下げボルトＢに螺合する支持ナットＮと、吊下げボルトＢが挿通されるとともに支持ナットＮによって支持された支持ワッシャＷとを用いて吊下げ支持される。器具本体１には、吊下げボルトＢを挿通可能かつ支持ワッシャＷを挿通不可能な小径部１１ａと、支持ワッシャＷを挿通可能な大径部１１ｂとを有して支持ワッシャＷが係止される支持穴１１が設けられている。支持ワッシャＷが大径部１１ｂに入り込むような器具本体１の移動を吊下げボルトＢに当接することにより禁止する落下防止部材３を、器具本体１の下側に結合させた。器具本体１の下側から落下防止部材３を容易に操作することができるので、落下防止部材３が器具本体１の上側に結合する場合に比べて施工性が向上する。【選択図】図１
2006185880.tif 000002
【特許請求の範囲】
【請求項１】
天井面に対して固定され天井面より垂下された吊下げボルトと、吊下げボルトに螺合する支持ナットと、吊下げボルトが挿通されるとともに支持ナットによって支持された支持ワッシャとを用いて吊下げ支持される照明器具であって、
吊下げボルトが挿通されるとともに支持ワッシャが係止される支持穴が上下に貫設された器具本体と、器具本体に保持され光源を保持するソケットとを備え、
支持穴は、短手方向の幅寸法が支持ワッシャの外径よりも小さくかつ吊下げボルトの外径よりも大きい長穴である小径部と、小径部の長手方向の一端に連通し支持ワッシャを挿通可能な程度に大きい大径部とを有し、
器具本体の下側に結合し支持ワッシャが支持穴に係止されているときに吊下げボルトに対して小径部の長手方向に対向し支持ワッシャが大径部へ向かうような器具本体の移動を吊下げボルトに当接することにより禁止する落下防止部材を備え、
器具本体において小径部の近傍には、支持ワッシャが支持穴に係止されているときに支持ワッシャに対して小径部の長手方向に対向し支持ワッシャが大径部へ向かうような器具本体の移動を支持ワッシャに当接することにより禁止する戻り防止突起が設けられ、戻り防止突起は大径部に対する小径部の突出方向へ向けて開口した係止穴を有し、落下防止部材は係止穴に係止される係止突起を有し係止突起が係止穴に係止されることによって器具本体に結合することを特徴とする照明器具。
【請求項２】
落下防止部材は支持ワッシャと器具本体との間に挟まれる間挿部を有することを特徴とする請求項１記載の照明器具。
【請求項３】
落下防止部材は、器具本体に螺合するねじが挿通されるねじ挿通穴を備え、ねじ挿通穴は、落下防止部材において支持ワッシャに当接する面に交叉する方向に長い長穴であることを特徴とする請求項１又は請求項２記載の照明器具。
【発明の詳細な説明】
【技術分野】
【０００１】
本発明は、天井面から吊下げ支持される照明器具に関するものである。
【背景技術】
【０００２】
従来から、図４に示すように、天井面Ｃに固定され天井面Ｃから垂下された吊下げボルトＢと、吊下げボルトＢに螺合する支持ナットＮと、吊下げボルトＢが挿通されるとともに支持ナットＮによって支持される支持ワッシャＷとを用いて吊下げ支持される照明器具が提供されている。
【０００３】
この照明器具は、吊下げボルトＢが挿通されるとともに支持ワッシャＷが係止される支持穴１１が上下に貫設された器具本体１と、器具本体１に保持され光源としての蛍光灯（図示せず）が取り付けられるソケット２とを備える。
【０００４】
支持穴１１は、図５及び図６に示すように、幅寸法が吊下げボルトＢの外径よりも大きくかつ支持ワッシャＷの外径よりも小さい長穴である小径部１１ａと、内径が支持ワッシャＷの外径よりも大きく小径部１１ａの長手方向の一端（図５の右端）に連通した円形状の大径部１１ｂとを有するいわゆるダルマ穴形状となっている。これにより、吊下げボルトＢに支持ナットＮを螺合させた後でも、支持ワッシャＷを支持穴１１の大径部１１ｂに挿通してから吊下げボルトＢが小径部１１ａに入り込むように器具本体１を移動させることで、支持ワッシャＷを支持穴１１に係止し、照明器具を吊下げ支持させることができるようになっている。図４の例では、天井面Ｃに埋込穴Ｃ１を設けてあり、吊下げボルトＢは埋込穴Ｃ１の内側から突設されていて、器具本体１は吊下げ支持された状態では埋込穴Ｃ１に略収納される。
【０００５】
また、器具本体１の下面において支持穴１１の大径部１１ｂの近傍であって小径部１１ａを短手方向から挟む両側には、それぞれ戻り防止突起１２を設けてある。戻り防止突起１２は、吊下げボルトＢが小径部１１ａに挿通されているとき（すなわち、支持ワッシャＷが支持穴１１に係止されているとき）に支持ワッシャＷに対して小径部１１ａの長手方向に対向し、支持ワッシャＷが大径部１１ｂに向かう方向への器具本体１の移動を、支持ワッシャＷに当接することにより禁止する。
【０００６】
しかし、地震などで器具本体１が振動した場合には、支持ワッシャＷが戻り防止突起１２を乗り越え大径部１１ｂに入り込んで係止が解除され、器具本体１が落下する可能性があった。
【０００７】
そこで、図７に示すように器具本体１に結合して吊下げボルトＢに当接し、支持ワッシャＷが大径部１１ｂに向かう方向への器具本体１の移動を禁止する落下防止部材４を設けることが提案されている（例えば、特許文献１参照）。この落下防止部材４は、矩形平板状の本体部４１と、本体部４１の一面に突出した突起４２とを有する。また、本体部４１の一端には支持穴１１の小径部１１ａの短手方向の幅寸法と同程度の幅寸法を有する切り欠き４３を設けてある。切り欠き４３に吊下げボルトＢを導入し、支持穴１１の大径部１１ｂに突起４２を挿入するようにして器具本体１の上面に落下防止部材４を載置すると、小径部１１ａの長手方向での支持穴１１の端に突起４２が当接するとともに吊下げボルトＢが切り欠き４３の内側面に当接することにより、吊下げボルトＢが大径部１１ｂに向かう方向への器具本体１の移動が禁止されるから、支持ワッシャＷが大径部１１ｂに入り込むことによる器具本体１の落下が防止される。
【特許文献１】実公平６−２０２５３号公報
【発明の開示】
【発明が解決しようとする課題】
【０００８】
しかし、上記従来の照明器具においては、落下防止部材４は器具本体１の上側から取り付けられるものであり、器具本体１の下側から落下防止部材４を着脱することができなかった。したがって、落下防止部材４を着脱する際には、支持穴１１を通してしか落下防止部材４が見えない状態で作業を行うか、もしくは器具本体１を上側から見るために特に高い足場を用意する必要があったので、施工性が低かった。
【０００９】
本発明は上記事由に鑑みて為されたものであり、その目的は、施工性を向上した照明器具を提供することにある。
【課題を解決するための手段】
【００１０】
請求項１の発明は、天井面に対して固定され天井面より垂下された吊下げボルトと、吊下げボルトに螺合する支持ナットと、吊下げボルトが挿通されるとともに支持ナットによって支持された支持ワッシャとを用いて吊下げ支持される照明器具であって、吊下げボルトが挿通されるとともに支持ワッシャが係止される支持穴が上下に貫設された器具本体と、器具本体に保持され光源を保持するソケットとを備え、支持穴は、短手方向の幅寸法が支持ワッシャの外径よりも小さくかつ吊下げボルトの外径よりも大きい長穴である小径部と、小径部の長手方向の一端に連通し支持ワッシャを挿通可能な程度に大きい大径部とを有し、器具本体の下側に結合し支持ワッシャが支持穴に係止されているときに吊下げボルトに対して小径部の長手方向に対向し支持ワッシャが大径部へ向かうような器具本体の移動を吊下げボルトに当接することにより禁止する落下防止部材を備え、器具本体において小径部の近傍には、支持ワッシャが支持穴に係止されているときに支持ワッシャに対して小径部の長手方向に対向し支持ワッシャが大径部へ向かうような器具本体の移動を支持ワッシャに当接することにより禁止する戻り防止突起が設けられ、戻り防止突起は大径部に対する小径部の突出方向へ向けて開口した係止穴を有し、落下防止部材は係止穴に係止される係止突起を有し係止突起が係止穴に係止されることによって器具本体に結合することを特徴とする。
【００１１】
この発明によれば、落下防止部材が器具本体の下側に結合するから、器具本体の下側から落下防止部材を容易に操作することができるので、落下防止部材が器具本体の上側に結合する場合に比べて施工性が向上する。
【００１２】
請求項２の発明は、請求項１の発明において、落下防止部材は支持ワッシャと器具本体との間に挟まれる間挿部を有することを特徴とする。
【００１３】
この発明によれば、落下防止部材の器具本体に対する位置がずれにくくなるから、係止突起の係止穴への係止が解除されにくくなり、したがって落下防止部材が脱落しにくくなる。
【００１４】
請求項３の発明は、請求項１又は請求項２の発明において、落下防止部材は、器具本体に螺合するねじが挿通されるねじ挿通穴を備え、ねじ挿通穴は、落下防止部材において支持ワッシャに当接する面に交叉する方向に長い長穴であることを特徴とする。
【００１５】
この発明によれば、ねじ挿通穴に挿通されて器具本体に螺合するねじで落下防止部材をねじ止めすることにより、係止突起の係止穴に対する係止のみによって落下防止部材を支持する場合に比べて落下防止部材が脱落しにくくなる。また、ねじ挿通穴が長穴であることにより、ねじ挿通穴にねじを挿通したままで落下防止部材を器具本体に対して移動させることができるから、ねじによって落下防止部材を器具本体に仮止めしたままで、天井面に対する器具本体の着脱を行うことができる。したがって、ねじ挿通穴を設けない場合に比べて施工性がさらに向上する上に、落下防止部材を紛失するおそれがない。
【発明の効果】
【００１６】
本発明は、係止突起が係止穴に係止されることにより落下防止部材が器具本体の下側に結合するので、器具本体の下側から容易に落下防止部材を操作することができるから、落下防止部材を器具本体の上側に結合させる場合に比べて施工性が向上する。
【発明を実施するための最良の形態】
【００１７】
以下、本発明を実施するための最良の形態について、図面を参照しながら説明する。
【００１８】
なお、本発明の基本構成は従来例と共通であるので、共通する部分については同じ符号を付して図示並びに説明を省略する。
【００１９】
図１に示すように、本実施形態の落下防止部材３は、例えば金属板からなり、支持ワッシャＷと器具本体１の下面との間に挟まれて支持穴１１の大径部１１ｂを覆うものである。また、落下防止部材３には、図２に示すように、それぞれ戻り防止突起１２が挿通される２個の突起挿通穴３１を、落下防止部材３の一端縁に沿って並べて表裏に貫設してある。ここで、器具本体１は例えば金属製であって戻り防止突起１２は浮出し加工によって設けられ、各戻り防止突起１２は、それぞれ大径部１１ｂに対する小径部１１ａの突出方向（図の左方向）へ向けて開口した係止穴１２ａ（図５及び図６参照）を有する。落下防止部材３において突起挿通穴３１の内側面には、図３に示すように係止穴１２ａに係止される係止突起３２を設けてある。すなわち、係止突起３２が係止穴１２ａに係止されることにより、落下防止部材３は、器具本体１に支持されるとともに、小径部１１ａに対して大径部１１ｂが並ぶ方向（図１の右方向）への器具本体１に対する移動を禁止されている。そして、落下防止部材３は、支持穴１１の小径部１１ａに挿通された吊下げボルトＢに対して図１の右側から対向し、支持ワッシャＷが大径部１１ｂへ向かう方向への器具本体１の移動（図１の左方向への移動）を吊下げボルトＢに当接することによって禁止する。これにより、支持ワッシャＷが大径部１１ｂに入り込むことによる器具本体１の落下が防止されている。
【００２０】
さらに、落下防止部材３にはねじ挿通穴３３を設けてあり、ねじ挿通穴３３に挿通され器具本体１に設けられたねじ穴（図示せず）に螺合する取付ねじＳによっても落下防止部材３は器具本体１に結合している。ねじ挿通穴３３は、突起挿通穴３１が並ぶ方向に交叉する方向（すなわち、落下防止部材３において吊下げボルトＢに当接する面に直交する方向）に長い長穴形状としてある。また、落下防止部材３において突起挿通穴３１に近い前記一端縁には切り欠き３４を設けてあり、切り欠き３４には吊下げボルトＢが入り込めるようになっている。
【００２１】
本実施形態を天井面Ｃに取り付けるには、まず、取付ねじＳを軸にして落下防止部材３を適宜回転させ、支持穴１１の大径部１１ｂを露出させる。次に、大径部１１ｂを通して支持ワッシャＷを器具本体１の下側へ導き、吊下げボルトＢが大径部１１ｂから小径部１１ａに移動するように器具本体１を移動させる。ここにおいて、支持ワッシャＷが小径部１１ａに重なる形で支持穴１１に係止される。次に、器具本体１を少し持ち上げてワッシャＷと器具本体１との間に隙間を作り、突起挿通穴３１の周辺を器具本体１から浮かせるように落下防止部材３を弾性変形させつつ、取付ねじＳを軸にして落下防止部材３を回転させて戻り防止突起１２を突起挿通穴３１に導入する。ここにおいて、支持穴１１の大径部１１ｂは落下防止部材３に覆われる。次に、落下防止部材３をねじ挿通穴３３の長手方向にスライドさせて係止突起３２を係止穴１２ａに係止する。最後に、持ち上げていた器具本体１を下ろし、取付ねじＳを締めつける。ここにおいて、落下防止部材３の切り欠き３４の周囲は器具本体１の下面と支持ワッシャＷの上面との間に挟まれる。つまり、切り欠き３４の周囲が間挿部である。
【００２２】
逆に、本実施形態を天井面Ｃから取り外すには、まず取付ねじＳを緩めるとともに器具本体１を少し持ち上げ、落下防止部材３をねじ挿通穴３３の長手方向にスライドさせて係止突起３２の係止穴１２ａに対する係止を解除する。次に、落下防止部材３を弾性変形させて戻り防止突起１２を突起挿通穴３１から出しつつ、取付ねじＳを軸にして落下防止部材３を回転させ、支持穴１１の大径部１１ｂを露出させる。最後に、器具本体１を小径部１１ａの長手方向に動かし、大径部１１ｂを通して支持ワッシャＷを器具本体１の上側へ導く。
【００２３】
上記構成によれば、落下防止部材３を器具本体１の下側に取り付けているから、器具本体１の下側から容易に落下防止部材３を操作することができるので、従来例のように落下防止部材４を器具本体１の上側に取り付ける場合に比べて施工性が向上している。
【００２４】
また、落下防止部材３を、支持穴１１の大径部１１ｂを覆う形状としているので、大径部１１ｂを露出させる場合に比べて見栄えが向上している。
【００２５】
さらに、落下防止部材３を器具本体１にねじ止めするねじＳが挿通されるねじ挿通穴３３を長穴としていることにより、施工時に落下防止部材３を器具本体１から取り外す必要がないので、落下防止部材３を紛失するおそれがなく、施工性も向上している。
【００２６】
なお、ねじ挿通穴３３を設けず、係止突起３２の係止穴１２ａに対する係止によってのみ落下防止部材３を支持することも可能ではあるが、本実施形態のようにねじ挿通穴３３を設けた方が、落下防止部材３が脱落しにくくなるから望ましい。
【図面の簡単な説明】
【００２７】
【図１】本発明の実施形態の要部を示す斜視図である。
【図２】同上における落下防止部材を示す下面図である。
【図３】同上の要部を示す下面図である。
【図４】照明器具の一例を示す斜視図である。
【図５】同上の要部を示す斜視図である。
【図６】同上の器具本体の要部を示す下面図である。
【図７】従来例の要部を示す斜視図である。
【符号の説明】
【００２８】
１  器具本体
２  ソケット
３  落下防止部材
１１  支持穴
１１ａ  小径部
１１ｂ  大径部
１２  戻り防止突起
１２ａ  係止穴
３２  係止突起
３３  ねじ挿通穴
Ｂ  吊下げボルト
Ｎ  支持ナット
Ｗ  支持ワッシャ
【図１】
2006185880.tif 000003
【図２】
2006185880.tif 000004
【図３】
2006185880.tif 000005
【図４】
2006185880.tif 000006
【図５】
2006185880.tif 000007
【図６】
2006185880.tif 000008
【図７】
2006185880.tif 000009